(57)【要約】      （修正有）【課題】コグニティブ無線通信における感知を可能にするための基準信号送信の抑制のための技法を提供する。【解決手段】ネットワークエンティティ（たとえば、発展型ノードＢ）によって動作可能な方法が提供され、静穏期間のパラメータを判断するために別のネットワークエンティティと通信することを含み、パラメータは、静穏期間が生じるときと、静穏期間の持続時間とのうちの少なくとも１つを備える。第１のフレーム期間の第１の複数のサブフレーム中に、第１のチャネル中で基準信号を送信することと、第１のフレーム期間は、信号が送信されない静穏期間をさらに含む、静穏期間中に、第１のチャネルに関する感知動作を実行する。【選択図】図１１
2014212548.tif 000002
【特許請求の範囲】
【請求項１】
ワイヤレス通信システム中のネットワークエンティティによって動作可能な方法であって、
静穏期間のパラメータを判断するために別のネットワークエンティティと通信することと、前記パラメータが、前記静穏期間が生じるときと、前記静穏期間の持続時間とのうちの少なくとも１つを備える、
もっぱら、第１のフレーム期間の第１の複数のサブフレーム中に、第１のチャネル中で基準信号を送信することと、前記第１のフレーム期間は、信号が送信されない前記静穏期間に対応する第２の複数のサブフレームをさらに含む、
前記静穏期間中に、前記第１のチャネルに関して感知動作を実行することとを備える、方法。
【請求項２】
前記第１のフレーム期間の前記第２の複数のサブフレーム中に第２のチャネル中で前記基準信号を送信することをさらに備える、請求項１に記載の方法。
【請求項３】
前記第１のチャネルがホワイトスペース（ＷＳ）チャネルであり、
前記基準信号が共通基準信号（ＣＲＳ）である、請求項１に記載の方法。
【請求項４】
前記第２の複数のサブフレームが３つのサブフレームからなる、請求項１に記載の方法。
【請求項５】
前記感知動作が、１次ユーザを検出することを備える、請求項１に記載の方法。
【請求項６】
前記第１のチャネル上の送信を終了することをさらに備える、請求項５に記載の方法。
【請求項７】
前記静穏期間が、定義されたサブフレーム期間よりも大きいかそれに等しい、請求項１に記載の方法。
【請求項８】
前記静穏期間が約１ミリ秒と約３ミリ秒との間である、請求項１に記載の方法。
【請求項９】
通信することが、（ａ）Ｘ２インターフェースとＳ１インターフェースとのうちの少なくとも１つまたは（ｂ）オーバージエア（ＯＴＡ）接続を介して、前記別のネットワークエンティティと通信することを備える、請求項１に記載の方法。
【請求項１０】
前記ネットワークエンティティが発展型ノードＢ（ｅＮＢ）を備え、
前記別のエンティティが、別のｅＮＢと、運用および保守（Ｏ＆Ｍ）サーバと、モビリティ管理エンティティ（ＭＭＥ）とのうちの１つを備える、請求項１に記載の方法。
【請求項１１】
（ａ）静穏期間のパラメータを判断するために別のネットワークエンティティと通信することと、前記パラメータが、前記静穏期間が生じるときと、前記静穏期間の持続時間とのうちの少なくとも１つを備える、（ｂ）もっぱら、第１のフレーム期間の第１の複数のサブフレーム中に、第１のチャネル中で基準信号を送信することと、前記第１のフレーム期間は、信号が送信されない前記静穏期間に対応する第２の複数のサブフレームをさらに含む、（ｃ）前記静穏期間中に、前記第１のチャネルに関して感知動作を実行することとを行うように構成された少なくとも１つのプロセッサと、
前記少なくとも１つのプロセッサに結合された、データを記憶するためのメモリとを備える、装置。
【請求項１２】
静穏期間のパラメータを判断するために別のネットワークエンティティと通信するための手段と、前記パラメータが、前記静穏期間が生じるときと、前記静穏期間の持続時間とのうちの少なくとも１つを備える、
もっぱら、第１のフレーム期間の第１の複数のサブフレーム中に、第１のチャネル中で基準信号を送信するための手段と、前記第１のフレーム期間は、信号が送信されない前記静穏期間に対応する第２の複数のサブフレームをさらに含む、
前記静穏期間中に、前記第１のチャネルに関して感知動作を実行するための手段とを備える、装置。
【請求項１３】
静穏期間のパラメータを判断するために別のネットワークエンティティと通信することと、前記パラメータが、前記静穏期間が生じるときと、前記静穏期間の持続時間とのうちの少なくとも１つを備える、
もっぱら、第１のフレーム期間の第１の複数のサブフレーム中に、第１のチャネル中で基準信号を送信することと、前記第１のフレーム期間は、信号が送信されない前記静穏期間に対応する第２の複数のサブフレームをさらに含む、
前記静穏期間中に、前記第１のチャネルに関して感知動作を実行することとをコンピュータに行わせるためのコードを備えるコンピュータ可読媒体を備える、コンピュータプログラム製品。
【請求項１４】
ワイヤレス通信システム中のモバイルエンティティによって動作可能な方法であって、
第１のフレーム期間の各サブフレーム中に第１のチャネル中で基準信号を受信することと、
もっぱら、第２のフレーム期間の第１の複数のサブフレーム中に、前記第１のチャネル中で前記基準信号を受信することと、前記第２のフレーム期間が第２の複数のサブフレームをさらに含む、を備える、方法。
【請求項１５】
前記所与のサブフレーム中に存在する共通基準信号（ＣＲＳ）に応答して、前記所与のサブフレーム中に１つまたは複数のチャネルに関して感知動作を実行することをさらに備える、請求項１４に記載の方法。
【請求項１６】
前記第２の複数のサブフレームのうちの少なくとも１つ中に、１つまたは複数のチャネルに関して感知動作を実行することをさらに備える、請求項１４に記載の方法。
【請求項１７】
前記第２のフレーム期間の前記第２の複数のサブフレーム中に第２のチャネル中で前記基準信号を受信することをさらに備える、請求項１４に記載の前記方法。
【請求項１８】
前記第２の複数のサブフレームのうちの１つまたは複数が、前記第１の複数のサブフレームのうちのサブフレーム間に挿入される、請求項１４に記載の方法。
【請求項１９】
もっぱら、前記第１の複数のサブフレームのうちのサブフレーム中に、前記第１のチャネル上でデータを受信することをさらに備える、請求項１４に記載の方法。
【請求項２０】
前記モバイルエンティティがユーザ機器（ＵＥ）を備え、
前記基準信号が共通基準信号（ＣＲＳ）を備え、
前記方法が、もっぱら、前記第１の複数のサブフレームのうちの前記サブフレーム中に、復調基準信号を受信することをさらに備える、請求項１９に記載の方法。
【請求項２１】
（ａ）第１のフレーム期間の各サブフレーム中に第１のチャネル中で基準信号を受信することと、（ｂ）もっぱら、第２のフレーム期間の第１の複数のサブフレーム中に、前記第１のチャネル中で前記基準信号を受信することと、前記第２のフレーム期間が第２の複数のサブフレームをさらに含む、受信することとを行うように構成された少なくとも１つのプロセッサと、
前記少なくとも１つのプロセッサに結合された、データを記憶するためのメモリとを備える、装置。
【請求項２２】
第１のフレーム期間の各サブフレーム中に第１のチャネル中で基準信号を受信するための手段と、
もっぱら、第２のフレーム期間の第１の複数のサブフレーム中に、前記第１のチャネル中で前記基準信号を受信するための手段と、前記第２のフレーム期間が第２の複数のサブフレームをさらに含む、を備える、装置。
【請求項２３】
第１のフレーム期間の各サブフレーム中に第１のチャネル中で基準信号を受信することと、
もっぱら、第２のフレーム期間の第１の複数のサブフレーム中に、前記第１のチャネル中で前記基準信号を受信することと、前記第２のフレーム期間が第２の複数のサブフレームをさらに含む、をコンピュータに行わせるためのコードを備えるコンピュータ可読媒体を備える、コンピュータプログラム製品。
【発明の詳細な説明】
【米国特許法第１１９条に基づく優先権の主張】
【０００１】
本特許出願は、本出願の譲受人に譲渡され、参照によりその全体が本明細書に明確に組み込まれる、２０１０年８月１６日に出願された「METHODS AND APPARATUS FOR RELIABLY SUPRESSING CRS TRANSMISSION TO ENABLE SENSING IN COGNITIVE LTE」と題する仮出願第６１／３７４，０３３号の優先権を主張する。
【技術分野】
【０００２】
本開示は、ワイヤレス通信システムに関し、より詳細には、コグニティブ（cognitive）Ｌｏｎｇ  Ｔｅｒｍ  Ｅｖｏｌｕｔｉｏｎ（ＬＴＥ）システムにおける感知を可能にするための共通基準信号（ＣＲＳ）を抑制するための技法に関する。
【背景技術】
【０００３】
ワイヤレス通信システムは、音声、データ、ビデオなど、様々なタイプの通信コンテンツを提供するために広く展開されており、Ｌｏｎｇ  Ｔｅｒｍ  Ｅｖｏｌｕｔｉｏｎ（ＬＴＥ）システムなどの新しいデータ指向システムの導入とともに展開が増加する可能性がある。ワイヤレス通信システムは、利用可能なシステムリソース（たとえば、帯域幅および送信電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰ（登録商標）  ＬＴＥシステム、および他の直交周波数分割多元接続（ＯＦＤＭＡ）システムがある。
【０００４】
３ＧＰＰ  ＬＴＥは、Ｇｌｏｂａｌ  Ｓｙｓｔｅｍ  ｆｏｒ  Ｍｏｂｉｌｅｃｏｍｍｕｎｉｃａｔｉｏｎｓ（ＧＳＭ（登録商標））およびユニバーサルモバイル電気通信システム（ＵＭＴＳ：Universal Mobile Telecommunications System）の発展形として、セルラー技術における大きな進歩を表す。ＬＴＥ物理レイヤ（ＰＨＹ）は、発展型ノードＢ（ｅＮＢ）などの基地局とモバイルエンティティ（mobile entities）との間でデータと制御情報の両方を搬送する高効率な方法を与える。
【０００５】
直交周波数分割多重（ＯＦＤＭ）通信システムは、全システム帯域幅を、周波数サブチャネル、トーン、または周波数ビン（frequency bins）と呼ばれることもある複数（ＮF）個のサブキャリアに効果的に区分する。ＯＦＤＭシステムでは、まず、送信すべきデータ（すなわち、情報ビット）を特定のコーディング方式を用いて符号化してコード化ビットを発生し、コード化ビットをさらにマルチビットシンボルにグループ化し、次いで、これらのマルチビットシンボルを変調シンボルにマッピングする。各変調シンボルは、データ送信のために使用される特定の変調方式（たとえば、Ｍ−ＰＳＫまたはＭ−ＱＡＭ）によって定義された信号コンスタレーション中のポイントに対応する。各周波数サブキャリアの帯域幅に依存し得る各時間間隔において、変調シンボルは、ＮF個の周波数サブキャリアの各々上で送信され得る。したがって、システム帯域幅にわたって異なる減衰量によって特徴づけられる、周波数選択性フェージングによって引き起こされたシンボル間干渉（ＩＳＩ）をなくすために、ＯＦＤＭが使用され得る。
【０００６】
概して、ワイヤレス多元接続通信システムは、たとえば、ユーザ機器（ＵＥ）またはアクセス端末（ＡＴ）など、いくつかのモバイルエンティティのための通信を同時にサポートすることができる。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。そのような通信リンクは、単入力単出力、多入力単出力、または多入力多出力（ＭＩＭＯ）システムを介して確立され得る。
【０００７】
ＭＩＭＯシステムは、データ送信のために複数（ＮT）個の送信アンテナと複数（ＮR）個の受信アンテナとを採用する。ＮT個の送信アンテナとＮR個の受信アンテナとによって形成されるＭＩＭＯチャネルは、空間チャネルとも呼ばれるＮS個の独立チャネルに分解され得、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができる。
【０００８】
ＭＩＭＯシステムは時分割複信（ＴＤＤ）および周波数分割複信（ＦＤＤ）システムをサポートする。ＴＤＤシステムでは、順方向リンク送信と逆方向リンク送信とが同じ周波数領域上で行われるので、相反定理により逆方向リンクチャネルからの順方向リンクチャネルの推定が可能である。これにより、複数のアンテナがアクセスポイントにおいて利用可能であるとき、アクセスポイントは順方向リンク上で送信ビームフォーミング利得を抽出することが可能になる。ＬＴＥなどの次世代システムは、性能およびデータスループットの向上のためのＭＩＭＯ技術の使用を可能にする。
【０００９】
展開されるエンティティの数が増加するにつれて、ライセンスＲＦスペクトラムならびに非ライセンスＲＦスペクトラム上の適切な帯域幅利用の必要がより重要になる。その上、ＬＴＥなどのシステムにおいてフェムトセルおよびピコセルなどの小さいセルを管理するための半自律型（semiautonomous）基地局の導入とともに、既存の基地局との干渉が一層問題になり得る。
【発明の概要】
【００１０】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【００１１】
本明細書で説明する実施形態の１つまたは複数の態様によれば、コグニティブ無線通信における感知を可能にするための方法が提供され、本方法は、たとえば、発展型ノードＢ（ｅＮＢ）などのネットワークエンティティによって実行され得る。本方法は、静穏期間（quiet period）のパラメータを判断するために別のネットワークエンティティと通信することであって、パラメータが、静穏期間が生じるときと、静穏期間の持続時間（duration of the quiet period）とのうちの少なくとも１つを含む、通信することを含み得る。本方法は、もっぱら（exclusively）、第１のフレーム期間の第１の複数のサブフレーム中に、第１のチャネル中で基準信号を送信することであって、第１のフレーム期間は、信号が送信されない静穏期間に対応する第２の複数のサブフレームをさらに含む、送信することをさらに含み得る。本方法はまた、静穏期間中に、第１のチャネルに関して感知動作を実行することを含み得る。関係する態様では、電子デバイス（たとえば、ｅＮＢまたはそれの（１つまたは複数の）構成要素）が、上記で説明した方法を実行するように構成され得る。
【００１２】
本明細書で説明する実施形態の１つまたは複数の態様によれば、たとえば、ユーザ機器（ＵＥ）などのモバイルエンティティによって実行され得るコグニティブ無線方法が提供される。本方法は、第１のフレーム期間の各サブフレーム中に第１のチャネル中で基準信号を受信することであって、基準信号は、所与のサブフレーム中に共通基準信号（ＣＲＳ）が存在するかどうかの指示を含む、受信することを含み得る。本方法は、もっぱら、第２のフレーム期間の第１の複数のサブフレーム中に、第１のチャネル中で基準信号を受信することであって、第２のフレーム期間が第２の複数のサブフレームをさらに含む、受信することをさらに含み得る。関係する態様では、電子デバイス（たとえば、ＵＥまたはその（１つまたは複数の）構成要素）が、上記で説明した方法を実行するように構成され得る。
【００１３】
上記および関連する目的を達成するために、１つまたは複数の態様は、以下で十分に説明し、特に特許請求の範囲で指摘する特徴を備える。以下の説明および添付の図面に、１つまたは複数の態様のうちのいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【図面の簡単な説明】
【００１４】
【図１】電気通信システムの一例を概念的に示すブロック図。
【図２】発展型ノードＢ（ｅＮＢ）と複数のユーザ機器（ＵＥ）とを含むワイヤレス通信システムの詳細を示す図。
【図３】ホワイトスペース（ＷＳ）を使用するコグニティブ無線システムを示す図。
【図４】静穏期間を与えるためのタイミング構成の一実装形態を示す図。
【図５】図４に示すように静穏期間を与えるためのサブフレーム割振りの一実施形態の詳細を示す図。
【図６】ＷＳ強化（WS-enhanced）ＵＥおよびｅＮＢの実施形態を示す図。
【図７】静穏期間シグナリングおよび監視を行うためのプロセスの一実施形態を示す図。
【図８】静穏期間処理および監視を実行するためのプロセスの一実施形態を示す図。
【図９】ＷＳ対応ワイヤレスネットワークｅＮＢの一実施形態を示す図。
【図１０】ＷＳ対応ワイヤレスネットワークＵＥの一実施形態を示す図。
【図１１】ネットワークエンティティ（たとえば、ｅＮＢ）によって実行可能な例示的なコグニティブ無線方法を示す図。
【図１２】図１１の方法のさらなる態様を示す図。
【図１３】図１１〜図１２の方法による、コグニティブ無線通信のための装置の一実施形態を示す図。
【図１４】モバイルエンティティ（たとえば、ＵＥ）によって実行可能な例示的なコグニティブ無線方法を示す図。
【図１５】図１４の方法のさらなる態様を示す図。
【図１６】図１４〜図１５の方法による、コグニティブ無線通信のための装置の一実施形態を示す図。
【発明を実施するための形態】
【００１５】
本明細書では、コグニティブ無線通信をサポートするための技法について説明する。本技法は、ワイヤレスワイドエリアネットワーク（ＷＷＡＮ）およびワイヤレスローカルエリアネットワーク（ＷＬＡＮ）などの様々なワイヤレス通信ネットワークのために使用され得る。「ネットワーク」および「システム」という用語は、しばしば互換的に使用される。ＷＷＡＮは、ＣＤＭＡ、ＴＤＭＡ、ＦＤＭＡ、ＯＦＤＭＡ、ＳＣ−ＦＤＭＡおよび／または他のネットワークであり得る。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、Ｗｉｄｅｂａｎｄ  ＣＤＭＡ（ＷＣＤＭＡ（登録商標））およびＣＤＭＡの他の変形態を含む。ｃｄｍａ２０００は、ＩＳ−２０００、ＩＳ−９５およびＩＳ−８５６規格をカバーする。ＴＤＭＡネットワークは、Ｇｌｏｂａｌ
Ｓｙｓｔｅｍ  ｆｏｒ  Ｍｏｂｉｌｅ  Ｃｏｍｍｕｎｉｃａｔｉｏｎｓ（ＧＳＭ）などの無線技術を実装し得る。ＯＦＤＭＡネットワークは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、ダウンリンク上ではＯＦＤＭＡを利用し、アップリンク上ではＳＣ−ＦＤＭＡを利用するＥ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。ＷＬＡＮは、ＩＥＥＥ  ８０２．１１（Ｗｉ−Ｆｉ（登録商標））、Ｈｉｐｅｒｌａｎなどの無線技術を実装し得る。
【００１６】
本明細書で説明する技法は、上記のワイヤレスネットワークおよび無線技術、ならびに他のワイヤレスネットワークおよび無線技術に使用され得る。明快のために、本技法のいくつかの態様について以下では３ＧＰＰネットワークおよびＷＬＡＮに関して説明し、以下の説明の大部分でＬＴＥおよびＷＬＡＮ用語を使用する。「例示的」という単語は、本明細書では、「例、事例、または例示の働きをすること」を意味するために使用する。本明細書に「例示的」と記載されたいかなる実施形態も、必ずしも他の実施形態よりも好ましいまたは有利であると解釈されるべきではない。
【００１７】
次に、図面を参照しながら様々な態様について説明する。以下の記述では、説明の目的で、１つまたは複数の態様の完全な理解を与えるために多数の具体的な詳細を記載する。ただし、様々な態様は、これらの具体的な詳細なしに実施され得ることは明白であろう。他の例では、これらの態様の説明を円滑にするために、よく知られている構造およびデバイスをブロック図の形態で示す。
【００１８】
図１に、ＬＴＥネットワークまたは何らかの他のワイヤレスネットワークであり得る、ワイヤレス通信ネットワーク１０を示す。ワイヤレスネットワーク１０は、いくつかの発展型ノードＢ（ｅＮＢ）３０と他のネットワークエンティティとを含み得る。ｅＮＢは、モバイルエンティティ（たとえば、ユーザ機器（ＵＥ））と通信するエンティティであり得、基地局、ノードＢ、アクセスポイントなどとも呼ばれることがある。ｅＮＢは、一般に基地局よりも多くの機能を有するが、「ｅＮＢ」および「基地局」という用語は、本明細書では互換的に使用される。各ｅＮＢ３０は、特定の地理的エリアに対して通信カバレージを提供し得、カバレージエリア内に位置するモバイルエンティティ（たとえば、ＵＥ）のための通信をサポートし得る。ネットワーク容量を改善するために、ｅＮＢの全体的なカバレージエリアは複数（たとえば、３つ）のより小さいエリアに区分され得る。より小さいエリアの各々は、それぞれのｅＮＢサブシステムによってサービスされ得る。３ＧＰＰでは、「セル」という用語は、この用語が使用される状況に応じて、ｅＮＢの最小カバレージエリアおよび／またはこのカバレージエリアにサービスしているｅＮＢサブシステムを指すことができる。
【００１９】
ｅＮＢは、マクロセル、ピコセル、フェムトセル、および／または他のタイプのセルに通信カバレージを提供し得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：Closed Subscriber Group）中のＵＥ）による制限付きアクセスを可能にし得る。図１Ａに示す例では、ｅＮＢ３０ａ、３０ｂ、および３０ｃは、それぞれマクロセルグループ２０ａ、２０ｂ、および２０ｃのためのマクロｅＮＢであり得る。セルグループ２０ａ、２０ｂ、および２０ｃの各々は、複数（たとえば、３つ）のセルまたはセクタを含み得る。ｅＮＢ３０ｄは、ピコセル２０ｄのためのピコｅＮＢであり得る。ｅＮＢ３０ｅは、フェムトセル２０ｅのためのフェムトｅＮＢまたはフェムトアクセスポイント（ＦＡＰ）であり得る。
【００２０】
ワイヤレスネットワーク１０はまた、リレー（図１Ａに図示せず）を含み得る。リレーは、上流局（たとえば、ｅＮＢまたはＵＥ）からデータの送信を受信し、そのデータの送信を下流局（たとえば、ＵＥまたはｅＮＢ）に送ることができるエンティティであり得る。リレーはまた、他のＵＥに対する送信を中継することができるＵＥであり得る。
【００２１】
ネットワークコントローラ５０は、ｅＮＢのセットに結合し得、これらのｅＮＢの協調および制御を行い得る。ネットワークコントローラ５０は、単一のネットワークエンティティまたはネットワークエンティティの集合であり得る。ネットワークコントローラ５０はバックホール（backhaul）を介してｅＮＢと通信し得る。ｅＮＢはまた、たとえば、ワイヤレスバックホールまたはワイヤラインバックホールを介して直接または間接的に互いに通信し得る。
【００２２】
ＵＥ４０はワイヤレスネットワーク１０全体にわたって分散され得、各ＵＥは固定または移動であり得る。ＵＥは、移動局、端末、アクセス端末、加入者ユニット、局などと呼ばれることもある。ＵＥは、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、スマートフォン、ネットブック、スマートブックなどであり得る。ＵＥは、ｅＮＢ、リレーなどと通信することが可能であり得る。ＵＥはまた、他のＵＥとピアツーピア（Ｐ２Ｐ）に通信することが可能であり得る。
【００２３】
ワイヤレスネットワーク１０は、ダウンリンクおよびアップリンクの各々のためのシングルキャリアまたは複数のキャリア上の動作をサポートし得る。キャリアは、通信のために使用される周波数のレンジを指し得、いくつかの特性に関連付けられ得る。複数のキャリア上の動作は、マルチキャリア動作またはキャリアアグリゲーションと呼ばれることもある。ＵＥは、ｅＮＢとの通信のために、ダウンリンク用の１つまたは複数のキャリア（またはダウンリンクキャリア）と、アップリンク用の１つまたは複数キャリア（またはアップリンクキャリア）との上で動作し得る。ｅＮＢは、１つまたは複数のダウンリンクキャリア上でデータと制御情報とをＵＥに送り得る。ＵＥは、１つまたは複数のアップリンクキャリア上でデータと制御情報とをｅＮＢに送り得る。１つの設計では、ダウンリンクキャリアはアップリンクキャリアとペアリングされ得る。この設計では、所与のダウンリンクキャリア上のデータ送信をサポートするための制御情報は、そのダウンリンクキャリアおよび関連付けられたアップリンクキャリア上で送られ得る。同様に、所与のアップリンクキャリア上のデータ送信をサポートするための制御情報は、そのアップリンクキャリアおよび関連するダウンリンクキャリア上で送られ得る。別の設計では、クロスキャリア制御がサポートされ得る。この設計では、所与のダウンリンクキャリア上のデータ送信をサポートするための制御情報は、ダウンリンクキャリアではなく別のダウンリンクキャリア（たとえば、ベースキャリア）上で送られ得る。
【００２４】
ワイヤレスネットワーク１０は、所与のキャリアのためのキャリア拡大をサポートし得る。キャリア拡大のために、キャリア上の異なるＵＥのために異なるシステム帯域幅がサポートされ得る。たとえば、ワイヤレスネットワークは、（ｉ）第１のＵＥ（たとえば、ＬＴＥ  Ｒｅｌｅａｓｅ８または９あるいは何らかの他のリリースをサポートするＵＥ）のためのダウンリンクキャリア上の第１のシステム帯域幅と、（ｉｉ）第２のＵＥ（たとえば、後のＬＴＥリリースをサポートするＵＥ）のためのダウンリンクキャリア上の第２のシステム帯域幅とをサポートし得る。第２のシステム帯域幅は第１のシステム帯域幅と完全にまたは部分的に重複し得る。たとえば、第２のシステム帯域幅は、第１のシステム帯域幅の一方または両方の端部において第１のシステム帯域幅と追加の帯域幅とを含み得る。追加のシステム帯域幅は、データおよび場合によっては制御情報を第２のＵＥに送るために使用され得る。
【００２５】
ワイヤレスネットワーク１０は、単入力単出力（ＳＩＳＯ）、単入力多出力（ＳＩＭＯ）、多入力単出力（ＭＩＳＯ）、および／または多入力多出力（ＭＩＭＯ）を介したデータ送信をサポートし得る。ＭＩＭＯの場合、送信機（たとえば、ｅＮＢ）は、複数の送信アンテナから受信機（たとえば、ＵＥ）にある複数の受信アンテナにデータを送信し得る。ＭＩＭＯは、（たとえば、異なるアンテナから同じデータを送信することによって）信頼性を改善し、および／または（たとえば、異なるアンテナから異なるデータを送信することによって）スループットを改善するために使用され得る。
【００２６】
ワイヤレスネットワーク１０は、シングルユーザ（ＳＵ）ＭＩＭＯ、マルチユーザ（ＭＵ）ＭＩＭＯ、多地点協調（ＣｏＭＰ：Coordinated Multi-Point）などをサポートし得る。ＳＵ−ＭＩＭＯの場合、セルが、プリコーディングを用いてまたは用いずに、所与の時間周波数リソース上で複数のデータストリームを単一のＵＥに送信し得る。ＭＵ−ＭＩＭＯの場合、セルが、プリコーディングを用いてまたは用いずに、同じ時間周波数リソース上で複数のデータストリームを複数のＵＥに（たとえば、１つのデータストリームを各ＵＥに）送信し得る。ＣｏＭＰは協働送信および／またはジョイント処理を含み得る。協働送信の場合、データ送信が、意図されたＵＥのほうへ、および／または１つまたは複数の被干渉ＵＥから離れてステアリングされるように、複数のセルが、所与の時間周波数リソース上で１つまたは複数のデータストリームを単一のＵＥに送信し得る。ジョイント処理の場合、複数のセルが、プリコーディングを用いてまたは用いずに、同じ時間周波数リソース上で複数のデータストリームを複数のＵＥに（たとえば、１つのデータストリームを各ＵＥに）送信し得る。
【００２７】
ワイヤレスネットワーク１０は、データ送信の信頼性を改善するために、ハイブリッド自動再送信（ＨＡＲＱ）をサポートし得る。ＨＡＲＱでは、送信機（たとえば、ｅＮＢ）は、データパケット（またはトランスポートブロック）の送信を送り得、必要な場合、パケットが受信機（たとえば、ＵＥ）によって正しく復号されるか、または最大回数の送信が送られるか、または何らかの他の終了条件に遭遇するまで、１回または複数回の追加の送信を送り得る。したがって、送信機は可変回のパケットの送信を送り得る。
【００２８】
ワイヤレスネットワーク１０は同期または非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。
【００２９】
ワイヤレスネットワーク１０は、周波数分割複信（ＦＤＤ）または時分割複信（ＴＤＤ）を利用し得る。ＦＤＤの場合、ダウンリンクおよびアップリンクには別々の周波数チャネルが割り振られ得、ダウンリンク送信およびアップリンク送信は２つの周波数チャネル上で同時に送られ得る。ＴＤＤの場合、ダウンリンクおよびアップリンクは同じ周波数チャネルを共有し得、ダウンリンク送信およびアップリンク送信は、異なる時間期間において同じ周波数チャネル上で送られ得る。関係する態様では、以下でさらに詳細に説明するＦＡＰ同期アルゴリズムは、ＦＤＤまたはＴＤＤ複信を使用してＦＡＰに適用され得る。
【００３０】
次に図２を参照すると、一態様による多元接続ワイヤレス通信システムが示されている。アクセスポイントまたはｅＮＢ２００は複数のアンテナグループを含み、あるアンテナグループは２０４と２０６とを含み、別のアンテナグループは２０８と２１０とを含み、追加のアンテナグループは２１２と２１４とを含む。図２では、アンテナグループごとに２つのアンテナのみが示されているが、アンテナグループごとにより多いまたはより少ないアンテナが利用され得る。アクセス端末またはＵＥ２１６はアンテナ２１２および２１４と通信中であり、アンテナ２１２および２１４は、順方向リンク２２０上でアクセス端末２１６に情報を送信し、逆方向リンク２１８上でアクセス端末２１６から情報を受信する。アクセス端末２２２はアンテナ２０６および２０８と通信中であり、アンテナ２０６および２０８は、順方向リンク２２６上でアクセス端末２２２に情報を送信し、逆方向リンク２２４上でアクセス端末２２２から情報を受信する。ＦＤＤシステムでは、通信リンク２１８、２２０、２２４および２２６は、通信のための異なる周波数を使用し得る。たとえば、順方向リンク２２０は、逆方向リンク２１８によって使用される周波数とは異なる周波数を使用し得る。
【００３１】
アンテナの各グループ、および／またはアンテナが通信するために設計されたエリアは、しばしば、アクセスポイントのセクタと呼ばれる。アンテナグループはそれぞれ、アクセスポイント２００によってカバーされる領域のセクタ内でアクセス端末に通信するように設計される。順方向リンク２２０および２２６上の通信では、アクセスポイント２００の送信アンテナは、異なるアクセス端末２１６および２２４に対して順方向リンクの信号対雑音比を改善するためにビームフォーミングを利用し得る。また、そのカバレージにわたってランダムに散在するアクセス端末に送信するためにビームフォーミングを使用するアクセスポイントは、単一のアンテナを介してすべてのそのアクセス端末に送信するアクセスポイントよりも、近隣セル内のアクセス端末に生じる干渉が少ない。アクセスポイントは、端末との通信に使用される固定局でもよく、アクセスポイント、ノードＢ、発展型ノードＢ（ｅＮＢ）、または何らかの他の用語で呼ばれることもある。アクセス端末は、アクセス端末、ユーザ機器（ＵＥ）、ワイヤレス通信デバイス、端末、アクセス端末または何らかの他の用語で呼ばれることもある。
【００３２】
本開示の主題の態様によれば、コグニティブ無線は概して、ワイヤレスネットワークまたはネットワークノードのいずれかが、他のライセンスユーザまたは非ライセンスユーザとの干渉を回避しながら効率的な通信を行うために送信および／または受信パラメータを調整および変更するためのインテリジェンスを含むワイヤレス通信システムを指す。この手法の実装形態は、周波数スペクトラム、変調特性、ユーザビヘイビア（user behavior）、ネットワーク状態、および／または他のパラメータを含み得る、動作無線環境のアクティブ監視および感知を含む。ＬＴＥおよびＬＴＥ−Ａシステムなどの多元接続システムは、明確なライセンススペクトラム以外に追加の利用可能なスペクトラムを利用するためにコグニティブ無線技法を使用し得る。
【００３３】
スペクトラム感知は、潜在的に使用可能なスペクトラムの検出を伴う。使用可能なスペクトラムは、検出されると、次いで（占有されていない場合）単独で使用され得るか、または他のユーザが存在すると仮定すれば、有害な干渉を生じることなしに共有され得る。コグニティブ無線システム中のノードは、スペクトラムホール（spectrum holes）を感知するように構成され得、これは、１次ユーザ（たとえば、共有スペクトラムのライセンスユーザなど）、または他のユーザ（たとえば、非ライセンスユーザなど）を検出することに基づき得る。使用可能なスペクトラムは、選択されると、他者による使用を検出するためにさらに監視され得る。他のより優先順位の高いユーザの場合、スペクトラムは空けられ、通信は他のチャネルに転送される必要があり得る。たとえば、１次ユーザが初期探索中に検出された場合、非ライセンスユーザは、スペクトラムを使用することを禁止され得る。同様に、１次ユーザが、非ライセンスユーザによって使用されているスペクトラム中に現れた場合、非ライセンスユーザは空ける必要があり得る。
【００３４】
スペクトラム感知技法は、コグニティブ無線ノードが、１次ユーザからの信号があるスペクトラム中に局所的に存在するかどうかを判断する能力を有する送信機検出を含むことができる。これは、マッチドフィルタ／相関検出、エネルギーまたは信号レベル検出、周期定常特徴検出（cyclostationary feature detection）などの技法、または他の技法によって行われ得る。１次ユーザは、非ライセンスユーザも使用し得る共有スペクトラムのライセンスユーザなど、より優先順位の高いユーザであり得る。
【００３５】
また、複数のネットワークノードが通信中であるいくつかの場合には、協働検出が使用され得る。この手法は、１次ユーザ検出のために複数のコグニティブ無線ユーザからの情報が取り入れられるスペクトラム感知方法に関係する。利用可能なスペクトラムを感知するために干渉ベース、または他の検出方法が同様に使用され得る。
【００３６】
コグニティブ無線システムは、概してユーザおよび／またはネットワーク通信要件を満たすために最良の利用可能なスペクトラムを判断する機能を含む。たとえば、コグニティブ無線は、特定のサービス品質（ＱＯＳ）、データレート要件、または利用可能なスペクトラム帯域に関する他の要件を満たすために最良のスペクトラム帯域について決定し得る。これは、利用可能なスペクトラムを選択し、割り振るためのスペクトラム分析ならびにスペクトラム決定処理を含み得る、関連するスペクトラム管理および制御機能を必要とする。
【００３７】
スペクトラムは一般に共有されるので、スペクトラムモビリティも問題である。スペクトラムモビリティは、コグニティブネットワークユーザが動作周波数を変更することに関係する。これは概して、ネットワークノードが最良の利用可能な周波数帯域において動作することを可能にすることと、他の／より良いスペクトラムへの遷移中にシームレス通信を維持することとによる動的な方法で行われる。スペクトラム共有は、公平なスペクトラムスケジューリング方法を与えることに関係し、それは、既存のネットワークにおける一般的なメディアアクセス制御（ＭＡＣ）問題と同様に見なされ得る。
【００３８】
コグニティブ無線の一態様は、非ライセンスユーザによるライセンススペクトラムの使用を共有することに関係する。このスペクトラムの使用は、ＬＴＥなど、他のワイヤレス通信方法に統合され得る。
【００３９】
ホワイトスペース（ＷＳ）は、ブロードキャスティングサービスまたは他のライセンスユーザに割り振られた、局所的に使用されない周波数、ならびに間隙帯域を指す。米国では、２００９年のデジタルテレビジョンへの切換えにより上側７００メガヘルツ帯域（６９８〜８０６ＭＨｚ）に放棄されたスペクトラムが生じ、デジタルテレビジョンのために依然として使用されている５４〜６９８ＭＨｚ（ＴＶチャネル２〜５１）にさらなる（additional）ホワイトスペースが存在する。インカンベント（incumbent）１次ユーザは、既存のチャネル、ワイヤレスマイクロフォンシステム、医療デバイス、または他のレガシーデバイスに関するライセンステレビジョン放送事業者を含み得る。２００８年に、米国連邦通信委員会（ＦＣＣ）はこのホワイトスペースの非ライセンス使用を承認した。しかしながら、これらのいわゆる「ＴＶ帯域デバイス」は、５４〜６９８ＭＨｚの範囲内のテレビジョンチャネル間の空いているチャネルまたはホワイトスペース中で動作しなければならない。
【００４０】
これらのデバイスを定義する規則は、２００８年１１月１４日にＳｅｃｏｎｄ  Ｒｅｐｏｒｔ  ａｎｄ  Ｏｒｄｅｒにおいて米国連邦通信委員会（ＦＣＣ）によって公開された。ＦＣＣ規則は、固定デバイスおよびパーソナル／ポータブルデバイスを定義している。固定デバイスは、最高１ワットの電力（４ワットＥＩＲＰ）を用いて、空いている米国ＴＶチャネル２、５〜３６および３８〜５１のうちのいずれかを使用し得る。固定デバイスは、これらのチャネルのうちのいずれかの上で互いと通信し、ＴＶチャネル２１〜５１中のパーソナル／ポータブルデバイスとも通信し得る。固定デバイスは、ロケーションアウェア（location-aware）でなければならず、それらのロケーションにおいて使用可能なチャネルのリストを検索するために少なくとも毎日ＦＣＣ規定データベースを照会しなければならず、また、レガシーワイヤレスマイクロフォン、ビデオ支援デバイス、または他のエミッタが存在しないことを確認するために、毎分１回スペクトラムを局所的に監視しなければならない。単一の送信が検出された場合、デバイスは、送信が受信された６ＭＨｚチャネル全体内のどこでも送信しないことがある。固定デバイスは、データベースが、動作が許可されることを示しており、信号が局所的に検出されないＴＶチャネル内でのみ送信し得る。
【００４１】
パーソナル／ポータブル局は、１００ｍＷ  ＥＩＲＰの電力を用いて、または近くのテレビジョンチャネルに隣接するチャネル上にある場合４０ｍＷの電力を用いて、チャネル２１〜３６および３８〜５１上でのみ動作し得る。パーソナル／ポータブル局は、関連する固定局から許可されたチャネルのリストを検索し得るか、またはより低い出力電力５０ｍＷ  ＥＩＲＰを受け入れ、スペクトラム感知のみを使用し得るかのいずれかである。
【００４２】
前述のように、既存のワイヤレスネットワークは、コグニティブ無線機能の追加によって拡張され得る。一態様では、ＬＴＥシステムは、さらに以下に示すようにコグニティブ無線機能を含み得る。
【００４３】
次に図３に注目すると、図３には、ＵＨＦテレビジョンスペクトラムなどにおいて、ホワイトスペース（ＷＳ）を利用するように構成されたコグニティブＬＴＥシステム３００の一例が示されている。第１のセル３０３は、ダウンリンク（ＤＬ）とアップリンク（ＵＬ）の一方または両方の上でＷＳを利用するように構成される。一実装形態では、ライセンススペクトラムはＵＬのために使用されるが、ＷＳはいくつかの通信のためのＤＬのために使用され得る。たとえば、ＷＳ対応ｅＮＢ３１０は、第１のＵＥ３１６ならびに第２のＵＥ３１４と通信中であり得る。ＵＥ３１６は非ＷＳ対応ＵＥであり得るが、ＵＥ３１４はＷＳ対応であり得る。（本明細書で使用するＷＳ対応は、一般にライセンススペクトラムに加えて、ホワイトスペースを利用するように構成されたネットワークデバイスを指す。）本例では、ｅＮＢ３１０とＵＥ３１６との間のＤＬ３１７およびＵＬ３１８は、ライセンススペクトラムを使用するように構成されるが、ｅＮＢ３１０とＵＥ３１４との間のＤＬ３１２は、ＷＳを使用するように構成され得、ＵＬ３１３は、ライセンススペクトラムを使用するように構成され得る。
【００４４】
別のセル３０５は、セル３０３に隣接し得、ＤＬ３３３とＵＬ３３４とのためのライセンススペクトラムを使用してＵＥ３３２と通信するｅＮＢ３３０を用いて構成され得る。いくつかの状況では、ＵＥ３１４はｅＮＢ３３０の範囲内にあり得、したがってＵＥ３１４は、ｅＮＢ３３０にアクセスする試みを行いやすくなり得る。
【００４５】
前述のように、コグニティブネットワーク中のデバイスによるＷＳの使用は、チャネル状態の感知を必要とする。ＴＶ帯域ＷＳ中で動作するように構成されたＬＴＥシステムなどのシステムでは、ＦＣＣ要件は、１次ユーザが検出された場合にチャネルの１次使用および空きについて、２次デバイス（すなわち、非ライセンスユーザ）によって利用されているスペクトラムを監視することを規定する。典型的な１次使用は、ＵＨＦテレビジョンチャネル、ワイヤレスマイクロフォン、または他のレガシーデバイスであり得る。
【００４６】
さらに、周波数共有を可能にするために、他の２次ユーザとの協調が望ましいことがある。ＦＣＣ要件は、新しいチャネルに切り替える前の３０秒間にチャネルを検査することと、１次ユーザについて少なくとも６０秒ごとにチャネルを監視することと、１次ユーザが検出されたときに２秒以内にチャネルを空けることとを規定している。検査中に、どのネットワークデバイスの信号送信も行われない静穏期間が必要とされる。たとえば、ｅＮＢと３つの関連するＵＥとを有するＬＴＥネットワークでは、他のユーザが検出され得るように、これらの４つのデバイスすべてが静穏期間中に送信することを控えなければならない。
【００４７】
次に図４に注目すると、図４には、チャネル感知のための協調静穏期間を与えるためのシグナリング構成の一実施形態が示されている。時間間隔ｔｄは、必要とされる６０秒感知期間を表す。この期間中に、ｔｓとして示される１つまたは複数の感知間隔が実装され得、これらの時間間隔中に、すべてのネットワークデバイスが送信することを控える（すなわち、静穏である）。場合によっては、他のユーザを検出するためにチャネルを監視するために、単一の感知間隔が使用され得る。しかしながら、他の実装形態では、複数の感知間隔が与えられ得る。図４に示した例では、６０秒感知期間（ｔＤ）中に周期的に繰り返され得る感知間隔４１２および４１４が示されている。特定のタイミングは、システムにおいてあらかじめ定義され得るか、あるいはＳＩＢ１またはＳＩＢ２メッセージなどのシステム情報ブロック（ＳＩＢ）メッセージ中などでネットワークデバイスに送られ得る。代替的に、感知間隔は非同期的に行われ得るが、静穏間隔情報は他のネットワークデバイスに送られる必要があり、それにより、制御シグナリングを増加させ得る。示した例では、感知間隔は持続時間ｔｓを有し、ｔｓは３ミリ秒であり得る。これは、ＬＴＥシステムシグナリング要件のために有利であり得るが、他の持続時間が代替的に使用され得る。
【００４８】
ＬＴＥシステムは、ダウンリンクおよびアップリンクシグナリングのための様々なタイミング要件を課する。たとえば、ＬＴＥは、ＰＳＳ／ＳＳＳ、ＰＢＣＨ、ＳＩＢ１など、ならびにＣＲＳなどの制御チャネルの周期的な送信を必要とした。これは、６０秒サンプリングなどの周期的な静穏期間と、前に説明した監視のための関連する静穏期間とについての要件のために、ＷＳを利用するときに潜在的な問題を生じる。したがって、静穏期間のセル全体の協調が、規格化されたＬＴＥシグナリングの修正とともに必要とされ得る。
【００４９】
一態様では、この問題は、ＷＳ対応ｅＮＢ（ＷＳ−ｅＮＢ）から与えられるいくつかのサブフレーム中に送信を調整することによって対処され得る。これは、いくつかのサブフレーム中に、様々なＵＥ処理機能のために使用される必須のダウンリンク基準信号である、セル固有または共通基準信号（ＣＲＳ）の省略を伴い得る。次に図５に注目すると、図５には、サブフレーム送信を、静穏期間を与えるように調整するためのタイミング構成５００の一実施形態が示されている。ＬＴＥフレームは、サブフレーム０〜９で示される１０個のサブフレームに分割され得、１０個のサブフレームは周期的に繰り返す。すべてのサブフレーム中ですべての制御信号ならびにＣＲＳ（セル固有または共通基準信号）を搬送する利用可能な少なくとも１つのレガシーキャリアがあると仮定した場合、他のＤＬキャリアは、図５に示すように、（ページングを含む）ブロードキャスト制御チャネルを潜在的に搬送するサブフレームのみにおいて送信するように構成され得る。一実施形態では、これらは、サブフレーム０、４、５および９であり得る。他のサブフレームでは、ＣＲＳは省略され、制御／データ送信の復調は、ＤＲＳ（復調基準信号）を使用して行われ得る。
【００５０】
この手法は図５に示されており、図５では、サブフレーム０、４、５、および９は、ＣＲＳ（ならびに、必要に応じて制御およびデータ情報）を含む。サブフレーム１、２、および３は（データがＤＬバッファ中で利用可能である場合）データを搬送し得る。サブフレーム６、７、および８は、ＤＬ上でｅＮＢによって何も送信されない静穏サブフレームである。前記のように、ＵＬがライセンススペクトラム上で行われた場合、これは、ＵＬ送信が静穏期間中に行われた場合でも、ＷＳ静穏期間の問題を提起しない。
【００５１】
各サブフレームが持続時間１ｍＳを有するので、これは、図４に示したタイミング構成に一致する３ｍＳ静穏間隔を与える。いくつかの実装形態では、サブフレーム６、７および８の静穏間隔は、各フレーム中に与えられ得る。しかしながら、他の実装形態では、静穏間隔は、各サンプリング周期中にのみ（すなわち、各秒に１回など、図４に示した各時間間隔ｔｓＰ中に１回のみ）与えられ得る。いくつかの実施形態では、他の周期的な、または非同期的な静穏間隔も使用され得る。
【００５２】
様々な実装形態では、静穏間隔タイミングの協調が、図３に示したｅＮＢ３１０などのＷＳ−ｅＮＢから、ＵＥ３１４などの接続されたＷＳ−ＵＥへの通信を介して行われ得る。代替的に、静穏間隔タイミングは、ルックアップテーブル中にあり得、あるいは、ＷＳ−ｅＮＢ、ＷＳ−ＵＥ、または他のネットワークデバイスにおいてハードコーディングされ得る。
【００５３】
ＷＳ−ｅＮＢに関して前に説明した機能に加えて、関連する機能がＷＳ−ＵＥ中に実装され得る。特に、ＷＳ対応システム中のＵＥは、図５に示すサブフレーム６、７、および８など、いくつかのサブフレームからのＣＲＳの省略に関連するタイミング問題に対処する必要があり得る。ＵＥは、これらのサブフレーム中に、ＣＲＳが無線リンク監視（ＲＬＭ）と無線リンク障害（ＲＬＦ）とに関係する監視機能を実行し、ならびに他の機能を実行することなどを予想し得るので、ＷＳ−ＵＥは、ＷＳシグナリングに適応する再構成から利益を得ることがある。たとえば、ＷＳ−ＵＥは、すべてのサブフレーム中でＣＲＳを仮定する、たとえば、ＲＬＦ検出および／またはＣＱＩ／ＰＭＩ／ＲＩ推定のためのフィルタを含み得る。これに対処するために、ＷＳ−ＵＥは、ＣＲＳが送信されないサブフレーム中に、入力がＣＲＳから計算されるループおよびフィルタをフリーズさせるように構成され得る。この手法を使用して、これらのループおよびフィルタへの入力は、ＣＲＳを有する最後のサブフレームにおいて与えられた前の値のままであり、次の利用可能なＣＲＳにおいて動作を再開するであろう。これは、省略されたＣＲＳに基づいて無線リンク障害（ＲＬＦ）を不適切に宣言することなどの障害を回避し得、それにより、効果的にＷＳ−ＵＥとの接続を再確立するための実質的な追加のシステム処理を生じるであろう。
【００５４】
この処理の協調は、ＷＳ−ｅＮＢから送られた情報に基づいて行われ得、ＷＳ−ｅＮＢから与えられた情報に基づいてＷＳ−ＵＥにおいて、静穏期間中に信号フリーズが行われる。代替的に、それはＷＳ−ＵＥ中にハードコーディングされ得るか、あるいは場合によってはＷＳ−ｅＮＢまたは他のネットワークデバイスから受信した信号から判断され得る。
【００５５】
次に図６に注目すると、図６には、ＬＴＥ  ＭＩＭＯシステム６００における（アクセスポイントまたはｅＮＢとしても知られる）送信機システム６１０と、（アクセス端末またはＵＥとしても知られる）受信機システム６５０とを含むシステム６００が示されている。送信機システム６１０において、いくつかのデータストリームのトラフィックデータがデータソース６１２から送信（ＴＸ）データプロセッサ６１４に与えられる。各データストリームは、それぞれの送信アンテナを介して送信される。ＴＸデータプロセッサ６１４は、コード化データを与えるために、各データストリームのトラフィックデータを、そのデータストリーム用に選択された特定のコーディング方式に基づいてフォーマットし、コーディングし、インターリーブする。送信機６１０はＷＳ−ｅＮＢであり得、システム６００はＷＳ対応システム中に含まれ得る。同様に、受信機６５０はＷＳ−ＵＥであり得る。
【００５６】
各データストリームのコード化データは、ＯＦＤＭ技法を使用してパイロットデータで多重化され得る。パイロットデータは、典型的には、知られている方法で処理され、チャネル応答を推定するために受信機システムにおいて使用され得る、既知のデータパターンである。次いで、各データストリームの多重化されたパイロットデータおよびコード化データは、変調シンボルを与えるために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、コーディング、および変調は、プロセッサ６３０によって実行される命令によって決定され得る。
【００５７】
次いで、すべてのデータストリームの変調シンボルがＴＸ  ＭＩＭＯプロセッサ６２０に供給され、ＴＸ  ＭＩＭＯプロセッサ６２０はさらに（たとえば、ＯＦＤＭ用に）その変調シンボルを処理し得る。次いで、ＴＸ  ＭＩＭＯプロセッサ６２０はＮＴ個の変調シンボルストリームをＮＴ個の送信機（ＴＭＴＲ）６２２ａ〜６２２ｔに供給する。いくつかの実施形態では、ＴＸ  ＭＩＭＯプロセッサ６２０は、データストリームのシンボル、シンボルが送信されているアンテナとにビームフォーミング重みを適用する。
【００５８】
各送信機６２２は、それぞれのシンボルストリームを受信し、処理して、１つまたは複数のアナログ信号を生成し、さらに、それらのアナログ信号を調整（たとえば、増幅、フィルタ処理、およびアップコンバート）して、ＭＩＭＯチャネルを介して送信するのに適した被変調信号を与える。次いで、送信機６２２ａ〜６２２ｔからのＮＴ個の被変調信号は、それぞれＮＴ個のアンテナ６２４ａ〜６２４ｔから送信される。
【００５９】
受信機システム６５０において、送信された被変調信号はＮＲ個のアンテナ６５２ａ〜６５２ｒによって受信され、各アンテナ６５２からの受信信号は、それぞれの受信機（ＲＣＶＲ）６５４ａ〜６５４ｒに供給される。各受信機６５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与える。
【００６０】
次いで、ＲＸデータプロセッサ６６０は、ＮＲ個の受信機６５４からＮＲ個の受信シンボルストリームを受信し、特定の受信機処理技法に基づいて処理して、ＮＴ個の「検出」シンボルストリームを与える。次いで、ＲＸデータプロセッサ６６０は、各検出シンボルストリームを復調し、デインターリーブし、復号して、データストリームに対するトラフィックデータを回復する。ＲＸデータプロセッサ６６０による処理は、送信機システム６１０におけるＴＸ  ＭＩＭＯプロセッサ６２０およびＴＸデータプロセッサ６１４によって実行される処理を補足するものである。
【００６１】
プロセッサ６７０は、どのプリコーディング行列を使用すべきかを周期的に判断する（後述）。プロセッサ６７０は、行列インデックス部とランク値部とを含む逆方向リンクメッセージを作成する。逆方向リンクメッセージは、通信リンクおよび／または受信データストリームに関する様々なタイプの情報を含み得る。次いで、逆方向リンクメッセージは、データソース６３６からいくつかのデータストリームのトラフィックデータをも受信するＴＸデータプロセッサ６３８によって処理され、変調器６８０によって変調され、送信機６５４ａ〜６５４ｒによって調整され、送信機システム６１０に戻される。
【００６２】
送信機システム６１０において、受信機システム６５０からの被変調信号は、アンテナ６２４によって受信され、受信機６２２によって調整され、復調器６４０によって復調され、受信機システム６５０によって送信された逆方向リンクメッセージを抽出するためにＲＸデータプロセッサ６４２によって処理される。次いで、プロセッサ６３０は、ビームフォーミング重みを決定するためにどのプリコーディング行列を使用すべきかを判断し、次いで、抽出されたメッセージを処理する。
【００６３】
次に図７に注目すると、図７には、ワイヤレス通信を行うためのプロセス７００が示されている。段階７１０において、もっぱら、第１のフレーム期間の複数のサブフレーム中に、第１のチャネル中でＷＳ−ｅＮＢなどのネットワークノードから基準信号を送信する。第１のフレーム期間は第２の複数のサブフレームをさらに含み、この第２の複数のサブフレーム中には、ネットワークノードから信号が送信されない。ＷＳ−ｅＮＢなどのネットワークノードは、ＷＳ−ＵＥなどの他のネットワークノードが静穏期間中に送信することを控え得るように、他のネットワークノードに静穏期間を通知し得る。段階７２０において、感知動作を実行する。これは、他のユーザがチャネルを占有しているかどうかを判断するための感知動作であり得る。他のユーザは、たとえば、ライセンスユーザなど、チャネルの１次ユーザであり得る。他のユーザが感知されない場合、感知プロセスは周期的に繰り返され得る。感知は、ＦＣＣ規格など、ＷＳチャネル中の動作のための規格、または他の管轄において適用可能な規格に基づき得る。
【００６４】
代替的に、段階７２０において他のユーザが検出された場合、送信は別のチャネルに切り替えられ得る。たとえば、１次ユーザが検出された場合、動作は、たとえば、２秒など、あらかじめ定義された時間フレーム内で終了され得、送信は別のチャネルに切り替えられ得る。さらに、他のフレーム中での送信は、すべてのサブフレーム上で、またはサブフレームの異なるセット上で送信される基準信号を含み得る。
【００６５】
チャネルは、ＵＨＦテレビジョンホワイトスペースチャネルなどのホワイトスペース（ＷＳ）チャネルであり得る。第２の複数のサブフレームは、２つのサブフレームまたは３つのサブフレームからなり得る。基準信号は、チャネル特性判断のために与えられるＤＬ基準信号である、共通またはセル固有基準信号（ＣＲＳ）であり得る。
【００６６】
次に図８に注目すると、図８にはワイヤレス通信のためのプロセス８００が示されている。段階８１０において、もっぱら、第１のフレーム期間の第１の複数のサブフレーム中に、第１のチャネル中で基準信号を受信し、第１のフレーム期間は、基準信号が送信されない静穏期間に対応する第２の複数のサブフレームをさらに含む。静穏期間中に、基準信号は、ＷＳ−ｅＮＢなど、関連するワイヤレスネットワークノードから送信された受信信号から省略され得る。段階８２０において、受信機パラメータを、静穏期間中に基準信号の省略を補償するように調整する。上記調整することは、受信フィルタまたはループへの入力をフリーズさせることを含み得る。フィルタまたはループは、無線リンク（ＲＬＭ）監視または他の受信機機能などの受信信号メトリックに関連し得る。関係する態様では、送信は、第２のチャネル（たとえば、ライセンスチャネル）上で行われ得る。
【００６７】
第１のチャネルはＷＳチャネルであり得る。第２の複数のサブフレームは、２つまたは３つのサブフレームからなり得る。基準信号は共通基準信号（ＣＲＳ）であり得る。プロセス８００は、段階８３０において、静穏期間中に感知動作を実行することをさらに含み得る。感知動作は、１次ユーザを検出することに関係し得る。段階８４０において、感知動作から判断された情報を、第２のチャネルを介して報告する。報告された情報は１次ユーザに関係し得、第２のチャネルはライセンスチャネルであり得る。
【００６８】
次に図９に注目すると、図９には、本明細書で説明する機能を実行するように構成されたＷＳ−ｅＮＢ９００の一実施形態の詳細が示されている。ＷＳ−ｅＮＢ９００は、ＷＳチャネル中で基準信号を送るためのモジュール９１０を含み得、基準信号は静穏期間中に停止され得る。感知モジュール９２０は、１次ユーザなどの他のユーザが存在するかどうかを判断するために、ＷＳチャネルを監視するために与えられ得る。チャネル切替えモジュール９３０は、モジュール９２０において実行され得る感知および検出に基づいて、新しい（１つまたは複数の）チャネルを監視および選択するために与えられ得る。モジュール９３０はまた、ＷＳチャネルの使用を開始する前の初期ＷＳチャネル監視のために構成され得る。通知モジュール９４０は、ＳＩＢ１などのＳＩＢなどを介して、他のネットワークノードに特定の静穏期間を通知するために与えられ得る。ＷＳ−ｅＮＢ９００は、図６に示したように構成され得る。
【００６９】
次に図１０に注目すると、図１０には、本明細書で説明する機能を実行するように構成されたＷＳ−ＵＥ１０００の一実施形態の詳細が示されている。ＷＳ−ＵＥ１０００は、ＷＳチャネル上で基準信号を含む信号を受信し、関連する制御および復調機能を実行するように構成された受信機モジュール１０１０を含み得る。調整モジュール１０２０は、省略されたＣＲＳなど、静穏期間中に省略された信号に基づいて受信機パラメータを調整するように構成され得る。ＵＥ１０００はまた、静穏期間中にＷＳチャネルを監視し、１次ユーザなどの他のユーザが存在する場合、他のユーザを検出するように構成された感知モジュール１０３０を含み得る。ＷＳ−ＵＥ１０００はまた、ＷＳ−ｅＮＢなどの別のネットワークノードに情報を送るように構成された送信モジュール１０４０を含み得る。上記情報は、ＷＳ−ＵＥにおける他のユーザの検出に関する情報を含み得る。上記送ることは、ライセンスチャネル上で行われ得る。ＷＳ−ＵＥ１０００は、図６に示したように構成され得る。
【００７０】
いくつかの構成では、ワイヤレス通信のための装置は、本明細書で説明する様々な機能を実行するための手段を含む。一態様では、上述の手段は、図６に示したような本発明の実施形態が常駐し、上述の手段によって具陳される機能を実行するように構成された、１つまたは複数のプロセッサおよび関連メモリであり得る。上述の手段は、たとえば、本明細書で説明または例示するＵＥ、ｅＮＢおよび／または他のネットワークデバイス中に常駐する、モジュールまたは装置であり得る。別の態様では、上述の手段は、上述の手段によって具陳される機能を実行するように構成されたモジュールまたは任意の装置であり得る。
【００７１】
本明細書で図示および説明した例示的なシステムに鑑みて、開示する主題に従って実装され得る方法は、様々なフローチャートを参照すればより良く諒解されよう。説明を簡単にするために、方法を一連のブロックとして図示および説明するが、いくつかのブロックは、本明細書で図示および説明する順序とは異なる順序で、および／または他のブロックとほぼ同時に行われ得るので、請求する主題はブロックの数または順序によって限定されないことを理解および諒解されたい。さらに、本明細書で説明する方法を実装するために、図示されたすべてのブロックが必要とされるとは限らない。ブロックに関連する機能は、ソフトウェア、ハードウェア、それらの組合せまたは任意の他の好適な手段（たとえば、デバイス、システム、プロセス、または構成要素）によって実装され得ることを諒解されたい。さらに、本明細書の全体にわたって開示する方法は、そのような方法を様々なデバイスに移送および転送することを可能にする製造品に記憶することが可能であることをさらに諒解されたい。方法は、代替的に、状態図など、一連の相互に関係する状態または事象として表現され得ることを、当業者は理解し、諒解するであろう。
【００７２】
本明細書で説明する実施形態の１つまたは複数の態様によれば、図１１を参照すると、ネットワークエンティティ（たとえば、ｅＮＢ、運用および保守（Ｏ＆Ｍ）サーバ、モビリティ管理エンティティ（ＭＭＥ）など）によって動作可能なコグニティブ無線方法１１００が示されている。詳細には、方法１１００は、ネットワークエンティティが、コグニティブＬＴＥにおける感知を可能にするための基準信号送信の抑制を可能にする方法を表している。方法１１００は、１１１０において、（たとえば、約１ミリ秒と約３ミリ秒との間など、定義されたサブフレーム期間よりも大きいかそれに等しい）静穏期間のパラメータを判断するために別のネットワークエンティティ（たとえば、別のｅＮＢ、Ｏ＆Ｍサーバ、およびＭＭＥ）と通信することであって、パラメータは、静穏期間が生じるときと、静穏期間の持続時間とのうちの少なくとも１つを含む、通信することを含み得る。方法１１００は、１１２０において、もっぱら、第１のフレーム期間の第１の複数のサブフレーム中に、第１のチャネル（たとえば、ＷＳチャネル）中で基準信号（たとえば、ＣＲＳ）を送信することであって、第１のフレーム期間は、信号が送信されない静穏期間に対応する第２の複数のサブフレーム（たとえば、３つのサブフレーム）をさらに含む、送信することを含み得る。方法１１００は、１１３０において、静穏期間中に、第１のチャネルに関して感知動作を実行することを含み得る。
【００７３】
図１２を参照すると、随意であり、ネットワークエンティティなどによって実行され得る方法１１００のさらなる動作または態様が示されている。方法１１００が図１２の少なくとも１つのブロックを含む場合、方法１１００は、必ずしも、図示され得るいかなる（１つまたは複数の）後続のダウンストリームブロックをも含む必要なしに、少なくとも１つのブロックの後に終了し得る。ブロックの番号は、ブロックが方法１１００に従って実行され得る特定の順序を暗示しないことにさらに留意されたい。たとえば、方法１１００は、第１のフレーム期間の第２の複数のサブフレーム中に第２のチャネル中で基準信号を送信すること（ブロック１１４０）を含み得る。感知動作を実行することは、１次ユーザを検出すること（ブロック１１５０）を含み得る。通信することは、（ａ）Ｘ２インターフェースとＳ１インターフェースとのうちの少なくとも１つまたは（ｂ）オーバージエア（ＯＴＡ;OVER-THE-AIR）接続を介して、別のネットワークエンティティと通信すること（ブロック１１６０）を含み得る。
【００７４】
本明細書で説明する実施形態の１つまたは複数の態様によれば、図１１〜図１２に関して上記で説明したように、電力制御のためのデバイスおよび装置が提供される。図１３を参照すると、ワイヤレスネットワーク中のネットワークエンティティ（たとえば、ｅＮＢ）として、またはネットワークエンティティ内で使用するためのプロセッサまたは同様のデバイス／構成要素として構成され得る例示的な装置１３００が提供される。装置１３００は、プロセッサ、ソフトウェア、またはそれらの組合せ（たとえば、ファームウェア）によって実装される機能を表すことができる機能ブロックを含み得る。たとえば、装置１３００は、静穏期間のパラメータを判断するために別のネットワークエンティティと通信するための電気的構成要素またはモジュール１３１２であって、パラメータが、静穏期間が生じるときと、静穏期間の持続時間とのうちの少なくとも１つを含む、通信するための電気的構成要素またはモジュール１３１２を含み得る。装置１３００はまた、もっぱら、第１のフレーム期間の第１の複数のサブフレーム中に、第１のチャネル中で基準信号を送信するための構成要素１３１４であって、第１のフレーム期間は、信号が送信されない静穏期間に対応する第２の複数のサブフレームをさらに含む、送信するための構成要素１３１４を含み得る。装置１３００はまた、静穏期間中に、第１のチャネルに関して感知動作を実行するための構成要素１３１６を含み得る。
【００７５】
関係する態様では、プロセッサとしてではなく、ネットワークエンティティ（たとえば、ｅＮＢ）として構成された装置１３００の場合、装置１３００は、少なくとも１つのプロセッサを有するプロセッサ構成要素１３５０を随意に含み得る。そのような場合、プロセッサ１３５０は、バス１３５２または同様の通信結合を介して構成要素１３１２〜１３１６と動作可能に通信し得る。プロセッサ１３５０は、電気的構成要素１３１２〜１３１６によって実行されるプロセスまたは機能の起動とスケジューリングとを実施し得る。
【００７６】
さらなる関係する態様では、装置１３００は、無線トランシーバ構成要素１３５４を含み得る。トランシーバ１３５４の代わりにまたはトランシーバ１３５４とともに、スタンドアロン受信機および／またはスタンドアロン送信機が使用され得る。装置１３００がＡＰまたは同様のネットワークエンティティであるとき、装置１３００はまた、１つまたは複数のコアネットワークエンティティに接続するためのネットワークインターフェース（図示せず）を含み得る。装置１３００は、たとえば、メモリデバイス／構成要素１３５６など、情報を記憶するための構成要素を随意に含み得る。コンピュータ可読媒体またはメモリ構成要素１３５６は、バス１３５２などを介して装置１３００の他の構成要素に動作可能に結合され得る。メモリ構成要素１３５６は、構成要素１３１２〜１３１６、およびそれらの副構成要素、またはプロセッサ１３５０、または本明細書で開示する方法のプロセスおよび挙動を実施するための、コンピュータ可読命令およびデータを記憶するように適応され得る。メモリ構成要素１３５６は、構成要素１３１２〜１３１６に関連する機能を実行するための命令を保持し得る。メモリ１３５６の外部にあるものとして示されているが、構成要素１３１２〜１３１６はメモリ１３５６の内部に存在することができることを理解されたい。図１３の構成要素は、プロセッサ、電子デバイス、ハードウェアデバイス、電子副構成要素、論理回路、メモリ、ソフトウェアコード、ファームウェアコードなど、またはそれらの任意の組合せを備え得ることをさらに留意されたい。
【００７７】
本明細書で説明する実施形態の１つまたは複数の態様によれば、図１４を参照すると、コグニティブＬＴＥにおける感知を可能にするための基準信号送信の抑制を可能にするようにモバイルエンティティ（たとえば、ＵＥ）によって動作可能な方法１４００が示されている。方法１４００は、１４１０において、第１のフレーム期間の各サブフレーム中に第１のチャネル中で基準信号を受信することを含み得る。方法１４００はまた、１４２０において、もっぱら、第２のフレーム期間の第１の複数のサブフレーム中に、第１のチャネル中で基準信号を受信することであって、第２のフレーム期間が第２の複数のサブフレームをさらに含む（たとえば、第２の複数のサブフレームのうちの１つまたは複数が、第１の複数のサブフレームのうちのサブフレーム間に挿入される）、受信することを含み得る。
【００７８】
図１５を参照すると、随意であり、モバイルエンティティなどによって実行され得る方法１４００のさらなる動作または態様が示されている。方法１４００が図１５の少なくとも１つのブロックを含む場合、方法１４００は、必ずしも、図示され得るいかなる（１つまたは複数の）後続のダウンストリームブロックをも含む必要なしに、少なくとも１つのブロックの後に終了し得る。ブロックの番号は、ブロックが方法１４００に従って実行され得る特定の順序を暗示しないことにさらに留意されたい。たとえば、方法１４００は、所与のサブフレーム中に存在するＣＲＳに応答して、所与のサブフレーム中に１つまたは複数のチャネルに関して感知動作を実行すること（ブロック１４３０）を含み得る。方法１４００は、第２の複数のサブフレームのうちの少なくとも１つ中に、１つまたは複数のチャネルに関して感知動作を実行すること（ブロック１４４０）を含み得る。方法１４００は、第２のフレーム期間の第２の複数のサブフレーム中に第２のチャネル中で基準信号を受信すること（ブロック１４５０）を含み得る。方法１４００は、もっぱら、第１の複数のサブフレームのうちのサブフレーム中に、第１のチャネル上でデータを受信すること（ブロック１４６０）と、もっぱら、第１の複数のサブフレームのうちのサブフレーム中に、復調基準信号を受信すること（ブロック１４７０）とを含み得る。別の実施形態では、基準信号は、所与のサブフレーム中にＣＲＳが存在するかどうかの指示を随意に含み得る。
【００７９】
本明細書で説明する実施形態の１つまたは複数の態様によれば、図１６は、図１４〜図１５に関して上記で説明したコグニティブ無線通信のための装置１６００（たとえば、モバイルエンティティまたはそれの（１つまたは複数の）構成要素）の設計を示している。たとえば、装置１６００は、第１のフレーム期間の各サブフレーム中に第１のチャネル中で基準信号を受信するための電気的構成要素またはモジュール１６１２であって、基準信号は、所与のサブフレーム中にＣＲＳが存在するかどうかの指示を含む、受信するための電気的構成要素またはモジュール１６１２を含み得る。装置１６００は、もっぱら、第２のフレーム期間の第１の複数のサブフレーム中に、第１のチャネル中で基準信号を受信するための構成要素１６１４であって、第２のフレーム期間が第２の複数のサブフレームをさらに含む、受信するための構成要素１６１４を含み得る。簡潔性のために、装置１６００に関する残りの詳細についてさらに詳述しないが、装置１６００の残りの特徴および態様は、図１３の装置１３００に関して上記で説明した特徴および態様と実質的に同様であることを理解されたい。
【００８０】
本明細書で説明する実施形態の１つまたは複数の態様によれば、もっぱら、第１のフレーム期間の第１の複数のサブフレーム中に、第１のチャネル中で基準信号を送信することであって、第１のフレーム期間は、信号が送信されない静穏期間に対応する第２の複数のサブフレームをさらに含む、送信することと、静穏期間中に、上記チャネルに関して感知動作を実行することとを含む方法が提供される。上記チャネルはＷＳチャネルであり得る。第２の複数のサブフレームは、２つのサブフレームまたは３つのサブフレームからなり得る。基準信号はＣＲＳであり得る。感知動作は、１次ユーザを検出することを含み得る。感知動作は、２次ユーザを検出することを含み得る。本方法は、第１のチャネル上の送信を終了することをさらに含み得る。
【００８１】
関係する態様では、本開示は、第１のフレーム期間の各サブフレーム中に基準信号を送信することと、もっぱら、第２のフレーム期間の第１の複数のサブフレーム中に基準信号を送信することであって、第２のフレーム期間が、１つまたは複数の静穏期間に対応する第２の複数のサブフレームをさらに含む、送信することと、１つまたは複数の静穏期間中に、１つまたは複数のチャネルに関して感知動作を実行することとを含む方法に関する。
【００８２】
１つまたは複数の静穏期間は、第１の複数のサブフレームのうちのサブフレーム間に挿入され得る。基準信号は、１つまたは複数のチャネルのうちの第１のチャネル上で送信される。感知動作は、１つまたは複数のチャネルのうちの第１のチャネルと、１つまたは複数のチャネルのうちの第２のチャネルとに関して実行され得る。１つまたは複数の静穏期間の各々は、第２のフレーム期間の第２の複数のサブフレームにわたり得る。本方法は、第１の複数のサブフレームのうちの少なくとも１つ中に、送信のためにデータをスケジュールすることと、１つまたは複数の静穏期間のいずれか中に送信のためにデータをスケジュールすることを控えることとをさらに含み得る。基準信号はＣＲＳであり得／ＣＲＳを含み得、本方法は、第１の複数のサブフレームのうちの少なくとも１つ中に送信のために復調基準信号をスケジュールすることと、１つまたは複数の静穏期間のうちのいずれか中に送信のために復調基準信号をスケジュールすることを控えることとをさらに含み得る。
【００８３】
さらなる関係する態様では、本開示は、第１のフレーム期間の各サブフレーム中に基準信号を受信することと、もっぱら、第２のフレーム期間の第１の複数のサブフレーム中に基準信号を受信することであって、第２のフレーム期間が第２の複数のサブフレームをさらに含む、受信することと、第２の複数のサブフレームのうちの少なくとも１つ中に、１つまたは複数のチャネルに関して感知動作を実行することとを含む方法に関する。第２の複数のサブフレームのうちの１つまたは複数は、第１の複数のサブフレームのうちのサブフレーム間に挿入され得る。基準信号は、１つまたは複数のチャネルのうちの第１のチャネル上で送信され得る。感知動作は、１つまたは複数のチャネルのうちの第１のチャネルと、１つまたは複数のチャネルのうちの第２のチャネルとに関して実行され得る。
【００８４】
本方法は、もっぱら、第１の複数のサブフレームのうちのサブフレーム中にデータを受信することをさらに含み得る。基準信号はＣＲＳであり得／ＣＲＳを含み得、方法は、もっぱら、第１の複数のサブフレームのうちのサブフレーム中に、復調基準信号を受信することをさらに含み得る。
【００８５】
またさらなる関係する態様では、本開示は、もっぱら、第１のフレーム期間の第１の複数のサブフレーム中に、第１のチャネル中で基準信号を受信することであって、第１のフレーム期間は、基準信号が送信されない静穏期間に対応する第２の複数のサブフレームをさらに含む、受信することと、受信機パラメータを、静穏期間中に基準信号の省略を補償するように調整することとを含む方法に関する。第１のチャネルはＷＳチャネルであり得る。第２の複数のサブフレームは、２つのサブフレームまたは３つのサブフレームからなり得る。基準信号はＣＲＳであり得る。本方法は、静穏期間中に感知動作を実行することをさらに含み得る。感知動作は、１次ユーザを検出することを含み得る。本方法は、第２のチャネルを介して、感知動作から判断された情報を報告することをさらに含み得る。上記情報は、１次ユーザに関係し得る。第２のチャネルはライセンスチャネルであり得る。
【００８６】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００８７】
さらに、本明細書の開示に関連して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈すべきではない。
【００８８】
本明細書の開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００８９】
本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末内に常駐し得る。代替として、プロセッサおよび記憶媒体は、ユーザ端末中に個別構成要素として常駐し得る。
【００９０】
１つまたは複数の例示的な設計では、説明した機能は、ハードウェア、ソフトウェア、ファームウェア、またはそれらの組合せで実装され得る。ソフトウェアで実装した場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を含むことができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または非一時的ワイヤレス技術を使用して、ウェブサイト、サーバ、または他のリモートソースから送信される場合、同軸ケーブル、光ファイバーケーブル、ツイストペア、ＤＳＬ、または非一時的ワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００９１】
本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
【図１】
2014212548.tif 000003
【図２】
2014212548.tif 000004
【図３】
2014212548.tif 000005
【図４】
2014212548.tif 000006
【図５】
2014212548.tif 000007
【図６】
2014212548.tif 000008
【図７】
2014212548.tif 000009
【図８】
2014212548.tif 000010
【図９】
2014212548.tif 000011
【図１０】
2014212548.tif 000012
【図１１】
2014212548.tif 000013
【図１２】
2014212548.tif 000014
【図１３】
2014212548.tif 000015
【図１４】
2014212548.tif 000016
【図１５】
2014212548.tif 000017
【図１６】
2014212548.tif 000018
【手続補正書】
【提出日】平成26年7月22日(2014.7.22)
【手続補正１】
【補正対象書類名】特許請求の範囲
【補正対象項目名】全文
【補正方法】変更
【補正の内容】
【特許請求の範囲】
【請求項１】
ワイヤレス通信システム中のモバイルエンティティによって動作可能な方法であって、
前記モバイルエンティティによって、第１のフレーム期間の各サブフレーム中に第１のチャネル中で基準信号を受信すること、前記第１のチャネルは、ブロードキャスティングサービスまたは他のライセンスユーザに割り振られた周波数帯域中の空いているチャネルである、ホワイトスペースチャネルであり、前記第１のフレーム期間は、信号が送信されない前記静穏期間に対応する第２の複数のサブフレームをさらに含む、と、
前記モバイルエンティティによって、もっぱら、第２のフレーム期間の第１の複数のサブフレーム中に、前記第１のチャネル中で前記基準信号を受信すること、前記第２のフレーム期間が第２の複数のサブフレームをさらに含む、と、
前記モバイルエンティティによって、前記第２のフレーム期間の前記第２の複数のサブフレーム中における第２のチャネル中で前記基準信号を受信すること、前記第２のチャネルは、ライセンスチャネルであり、前記第２のチャンネルは、ネットワークエンティティにライセンスを供与されたライセンスチャネルである、と、
を備える、方法。
【請求項２】
前記所与のサブフレーム中に存在する共通基準信号（ＣＲＳ）に応答して、前記所与のサブフレーム中に１つまたは複数のチャネルに関して感知動作を実行することをさらに備える、請求項１に記載の方法。
【請求項３】
前記第２の複数のサブフレームのうちの少なくとも１つ中に、１つまたは複数のチャネルに関して感知動作を実行することをさらに備える、請求項１に記載の方法。
【請求項４】
前記第２の複数のサブフレームのうちの１つまたは複数が、前記第１の複数のサブフレームのうちのサブフレーム間に挿入される、請求項１に記載の方法。
【請求項５】
もっぱら、前記第１の複数のサブフレームのうちのサブフレーム中に、前記第１のチャネル上でデータを受信することをさらに備える、請求項１に記載の方法。
【請求項６】
前記モバイルエンティティがユーザ機器（ＵＥ）を備え、
前記基準信号が共通基準信号（ＣＲＳ）を備え、
前記方法が、もっぱら、前記第１の複数のサブフレームのうちの前記サブフレーム中に、復調基準信号を受信することをさらに備える、請求項５に記載の方法。
【請求項７】
（ａ）第１のフレーム期間の各サブフレーム中に第１のチャネル中で基準信号を受信すること、前記第１のチャネルは、ブロードキャスティングサービスまたは他のライセンスユーザに割り振られた周波数帯域中の空いているチャネルである、ホワイトスペースチャネルであり、前記第１のフレーム期間は、信号が送信されない前記静穏期間に対応する第２の複数のサブフレームをさらに含む、と、
（ｂ）もっぱら、第２のフレーム期間の第１の複数のサブフレーム中に、前記第１のチャネル中で前記基準信号を受信すること、前記第２のフレーム期間が第２の複数のサブフレームをさらに含む、と、
（ｃ）前記モバイルエンティティによって、前記第２のフレーム期間の前記第２の複数のサブフレーム中における第２のチャネル中で前記基準信号を受信すること、前記第２のチャネルは、ライセンスチャネルであり、前記第２のチャンネルは、ネットワークエンティティにライセンスを供与されたライセンスチャネルである、と、
を行うように構成された少なくとも１つのプロセッサと、
前記少なくとも１つのプロセッサに結合された、データを記憶するためのメモリと、
を備える、装置。
【請求項８】
第１のフレーム期間の各サブフレーム中に第１のチャネル中で基準信号を受信するための手段、前記第１のチャネルは、ブロードキャスティングサービスまたは他のライセンスユーザに割り振られた周波数帯域中の空いているチャネルである、ホワイトスペースチャネルであり、前記第１のフレーム期間は、信号が送信されない前記静穏期間に対応する第２の複数のサブフレームをさらに含む、手段と、
もっぱら、第２のフレーム期間の第１の複数のサブフレーム中に、前記第１のチャネル中で前記基準信号を受信するための手段、前記第２のフレーム期間が第２の複数のサブフレームをさらに含む、手段と、
前記モバイルエンティティによって、前記第２のフレーム期間の前記第２の複数のサブフレーム中における第２のチャネル中で前記基準信号を受信するための手段、前記第２のチャネルは、ライセンスチャネルであり、前記第２のチャンネルは、ネットワークエンティティにライセンスを供与されたライセンスチャネルである、手段と、
を備える、装置。
【請求項９】
第１のフレーム期間の各サブフレーム中に第１のチャネル中で基準信号を受信すること、前記第１のチャネルは、ブロードキャスティングサービスまたは他のライセンスユーザに割り振られた周波数帯域中の空いているチャネルである、ホワイトスペースチャネルであり、前記第１のフレーム期間は、信号が送信されない前記静穏期間に対応する第２の複数のサブフレームをさらに含む、と、
もっぱら、第２のフレーム期間の第１の複数のサブフレーム中に、前記第１のチャネル中で前記基準信号を受信すること、前記第２のフレーム期間が第２の複数のサブフレームをさらに含む、と、
前記モバイルエンティティによって、前記第２のフレーム期間の前記第２の複数のサブフレーム中における第２のチャネル中で前記基準信号を受信すること、前記第２のチャネルは、ライセンスチャネルであり、前記第２のチャンネルは、ネットワークエンティティにライセンスを供与されたライセンスチャネルである、と、
をコンピュータに行わせるためのコードを備える、コンピュータ可読記憶媒体。
【手続補正２】
【補正対象書類名】明細書
【補正対象項目名】００９１
【補正方法】変更
【補正の内容】
【００９１】
本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
［Ｃ１］  ワイヤレス通信システム中のネットワークエンティティによって動作可能な方法であって、
静穏期間のパラメータを判断するために別のネットワークエンティティと通信することと、前記パラメータが、前記静穏期間が生じるときと、前記静穏期間の持続時間とのうちの少なくとも１つを備える、
もっぱら、第１のフレーム期間の第１の複数のサブフレーム中に、第１のチャネル中で基準信号を送信することと、前記第１のフレーム期間は、信号が送信されない前記静穏期間に対応する第２の複数のサブフレームをさらに含む、
前記静穏期間中に、前記第１のチャネルに関して感知動作を実行することとを備える、方法。
［Ｃ２］  前記第１のフレーム期間の前記第２の複数のサブフレーム中に第２のチャネル中で前記基準信号を送信することをさらに備える、Ｃ１に記載の方法。
［Ｃ３］  前記第１のチャネルがホワイトスペース（ＷＳ）チャネルであり、
前記基準信号が共通基準信号（ＣＲＳ）である、Ｃ１に記載の方法。
［Ｃ４］  前記第２の複数のサブフレームが３つのサブフレームからなる、Ｃ１に記載の方法。
［Ｃ５］  前記感知動作が、１次ユーザを検出することを備える、Ｃ１に記載の方法。
［Ｃ６］  前記第１のチャネル上の送信を終了することをさらに備える、Ｃ５に記載の方法。
［Ｃ７］  前記静穏期間が、定義されたサブフレーム期間よりも大きいかそれに等しい、Ｃ１に記載の方法。
［Ｃ８］  前記静穏期間が約１ミリ秒と約３ミリ秒との間である、Ｃ１に記載の方法。
［Ｃ９］  通信することが、（ａ）Ｘ２インターフェースとＳ１インターフェースとのうちの少なくとも１つまたは（ｂ）オーバージエア（ＯＴＡ）接続を介して、前記別のネットワークエンティティと通信することを備える、Ｃ１に記載の方法。
［Ｃ１０］  前記ネットワークエンティティが発展型ノードＢ（ｅＮＢ）を備え、
前記別のエンティティが、別のｅＮＢと、運用および保守（Ｏ＆Ｍ）サーバと、モビリティ管理エンティティ（ＭＭＥ）とのうちの１つを備える、Ｃ１に記載の方法。
［Ｃ１１］  （ａ）静穏期間のパラメータを判断するために別のネットワークエンティティと通信することと、前記パラメータが、前記静穏期間が生じるときと、前記静穏期間の持続時間とのうちの少なくとも１つを備える、（ｂ）もっぱら、第１のフレーム期間の第１の複数のサブフレーム中に、第１のチャネル中で基準信号を送信することと、前記第１のフレーム期間は、信号が送信されない前記静穏期間に対応する第２の複数のサブフレームをさらに含む、（ｃ）前記静穏期間中に、前記第１のチャネルに関して感知動作を実行することとを行うように構成された少なくとも１つのプロセッサと、
前記少なくとも１つのプロセッサに結合された、データを記憶するためのメモリとを備える、装置。
［Ｃ１２］  静穏期間のパラメータを判断するために別のネットワークエンティティと通信するための手段と、前記パラメータが、前記静穏期間が生じるときと、前記静穏期間の持続時間とのうちの少なくとも１つを備える、
もっぱら、第１のフレーム期間の第１の複数のサブフレーム中に、第１のチャネル中で基準信号を送信するための手段と、前記第１のフレーム期間は、信号が送信されない前記静穏期間に対応する第２の複数のサブフレームをさらに含む、
前記静穏期間中に、前記第１のチャネルに関して感知動作を実行するための手段とを備える、装置。
［Ｃ１３］  静穏期間のパラメータを判断するために別のネットワークエンティティと通信することと、前記パラメータが、前記静穏期間が生じるときと、前記静穏期間の持続時間とのうちの少なくとも１つを備える、
もっぱら、第１のフレーム期間の第１の複数のサブフレーム中に、第１のチャネル中で基準信号を送信することと、前記第１のフレーム期間は、信号が送信されない前記静穏期間に対応する第２の複数のサブフレームをさらに含む、
前記静穏期間中に、前記第１のチャネルに関して感知動作を実行することとをコンピュータに行わせるためのコードを備えるコンピュータ可読媒体を備える、コンピュータプログラム製品。
［Ｃ１４］  ワイヤレス通信システム中のモバイルエンティティによって動作可能な方法であって、
第１のフレーム期間の各サブフレーム中に第１のチャネル中で基準信号を受信することと、
もっぱら、第２のフレーム期間の第１の複数のサブフレーム中に、前記第１のチャネル中で前記基準信号を受信することと、前記第２のフレーム期間が第２の複数のサブフレームをさらに含む、を備える、方法。
［Ｃ１５］  前記所与のサブフレーム中に存在する共通基準信号（ＣＲＳ）に応答して、前記所与のサブフレーム中に１つまたは複数のチャネルに関して感知動作を実行することをさらに備える、Ｃ１４に記載の方法。
［Ｃ１６］  前記第２の複数のサブフレームのうちの少なくとも１つ中に、１つまたは複数のチャネルに関して感知動作を実行することをさらに備える、Ｃ１４に記載の方法。
［Ｃ１７］  前記第２のフレーム期間の前記第２の複数のサブフレーム中に第２のチャネル中で前記基準信号を受信することをさらに備える、Ｃ１４に記載の前記方法。
［Ｃ１８］  前記第２の複数のサブフレームのうちの１つまたは複数が、前記第１の複数のサブフレームのうちのサブフレーム間に挿入される、Ｃ１４に記載の方法。
［Ｃ１９］  もっぱら、前記第１の複数のサブフレームのうちのサブフレーム中に、前記第１のチャネル上でデータを受信することをさらに備える、Ｃ１４に記載の方法。
［Ｃ２０］  前記モバイルエンティティがユーザ機器（ＵＥ）を備え、
前記基準信号が共通基準信号（ＣＲＳ）を備え、
前記方法が、もっぱら、前記第１の複数のサブフレームのうちの前記サブフレーム中に、復調基準信号を受信することをさらに備える、Ｃ１９に記載の方法。
［Ｃ２１］  （ａ）第１のフレーム期間の各サブフレーム中に第１のチャネル中で基準信号を受信することと、（ｂ）もっぱら、第２のフレーム期間の第１の複数のサブフレーム中に、前記第１のチャネル中で前記基準信号を受信することと、前記第２のフレーム期間が第２の複数のサブフレームをさらに含む、受信することとを行うように構成された少なくとも１つのプロセッサと、
前記少なくとも１つのプロセッサに結合された、データを記憶するためのメモリとを備える、装置。
［Ｃ２２］  第１のフレーム期間の各サブフレーム中に第１のチャネル中で基準信号を受信するための手段と、
もっぱら、第２のフレーム期間の第１の複数のサブフレーム中に、前記第１のチャネル中で前記基準信号を受信するための手段と、前記第２のフレーム期間が第２の複数のサブフレームをさらに含む、を備える、装置。
［Ｃ２３］  第１のフレーム期間の各サブフレーム中に第１のチャネル中で基準信号を受信することと、
もっぱら、第２のフレーム期間の第１の複数のサブフレーム中に、前記第１のチャネル中で前記基準信号を受信することと、前記第２のフレーム期間が第２の複数のサブフレームをさらに含む、をコンピュータに行わせるためのコードを備えるコンピュータ可読媒体を備える、コンピュータプログラム製品。
【外国語明細書】
2014212548000001.pdf